(57)【要約】      （修正有）【課題】衣服を着用した状態のままで衣服の内側に装着でき、装着に時間と手間がかからない、冷却効果の高い保冷剤収容具を提供する。【解決手段】人が装着して両腋の下を冷却するための保冷剤収容具１００は、装着時に人の首の後部から前に吊り下げられるベルト３００と、開口部を有し、保冷剤を収容可能であり、前記開口部の近傍がベルト３００の一端に着脱可能に接続される第１の袋体２００と、開口部を有し、保冷剤を収容可能であり、前記開口部の近傍がベルト３００の他端に着脱可能に接続される第２の袋体２００と、を備える。【選択図】図１
0003195107.tif 000002
【実用新案登録請求の範囲】
【請求項１】
人が装着して両腋の下を冷却するための保冷剤収容具であって、
装着時に前記人の首の後部から前に吊り下げられるベルトと、
開口部を有し、保冷剤を収容可能であり、前記開口部の近傍が前記ベルトの一端に着脱可能に接続される第１の袋体と、
開口部を有し、保冷剤を収容可能であり、前記開口部の近傍が前記ベルトの他端に着脱可能に接続される第２の袋体と、
を備えることを特徴とする保冷剤収容具。
【請求項２】
第１の袋体及び第２の袋体が扁平形状であり、該扁平形状の前記第１の袋体及び前記第２の袋体における扁平開口部の一端側近傍が前記ベルトに着脱可能に接続され、
前記ベルトの長さ方向における中央部で前記ベルトを折り曲げた時、前記第１の袋体と前記第２の袋体とが対称形状である、請求項１に記載の保冷剤収容具。
【請求項３】
第１の袋体及び第２の袋体が、
基材と、
前記基材上に固定され、一端開口の収容部を形成するポケットと、
を備える、請求項１から２のいずれかに記載の保冷剤収容具。
【請求項４】
前記ベルトに着脱可能な前記第１の袋体の部位が面ファスナ構造を有し、前記ベルトに着脱可能な前記第２の袋体の部位が面ファスナ構造を有し、前記第１の袋体及び前記第２の袋体に着脱可能な前記ベルトの両端の部位が面ファスナ構造を有する、請求項１から３のいずれかに記載の保冷剤収容具。
【請求項５】
開口部を有し、保冷剤を収容可能であり、前記開口部の近傍が前記ベルトの予め定められた範囲に着脱可能に接続される第３の袋体をさらに備える、請求項１から４のいずれかに記載の保冷剤収容具。
【考案の詳細な説明】
【背景技術】
【０００１】
本考案は、両腋の下を冷却するために好適な保冷剤収容具に関する。
【０００２】
発熱時や熱中症の初期段階に、両腋の下を冷却することにより解熱することが効果的であることが従来から知られている。
両腋の下を冷却する保冷剤収容具としては、装着時に保冷剤が両腋部分に位置する構造を有するものであって、装着時に肩吊り下げ用帯状片に両腕を通し、保冷剤の収納袋を腋の下の部分に位置するようにする保冷剤収容具が提案されている（例えば、特許文献１参照）。
しかしながら、前記保冷剤収容具は、冷却効果を損なわないようにするためには衣服の内側に装着する必要があり、装着時の脱衣及び着衣に対する時間と手間が余計にかかってしまうという問題点があった。
また、衣服を着用した状態のままで前記保冷剤収容具を装着すると、保冷剤収容具が備える保冷剤等が衣服の外側から対象部位を冷却することになり、衣服の内側に装着する場合よりも冷却効果が損なわれてしまうなどの問題点があった。
【０００３】
したがって、衣服を着用した状態のままで衣服の内側に装着でき、装着に時間と手間がかからない、冷却効果の高い保冷剤収容具の提供が望まれているのが現状である。
【先行技術文献】
【特許文献】
【０００４】
【特許文献１】実用新案登録第３１０２１３０号公報
【考案の概要】
【考案が解決しようとする課題】
【０００５】
本考案は、かかる現状に鑑みてなされたものであり、従来における前記諸問題を解決し、以下の目的を達成することを課題とする。即ち、本考案は、衣服を着用した状態のままで衣服の内側に装着でき、装着に時間と手間がかからない、冷却効果の高い保冷剤収容具を提供することを目的とする。
【課題を解決するための手段】
【０００６】
前記課題を解決するための手段としては、以下のとおりである。
＜１＞  人が装着して両腋の下を冷却するための保冷剤収容具であって、装着時に前記人の首の後部から前に吊り下げられるベルトと、開口部を有し、保冷剤を収容可能であり、前記開口部の近傍が前記ベルトの一端に着脱可能に接続される第１の袋体と、開口部を有し、保冷剤を収容可能であり、前記開口部の近傍が前記ベルトの他端に着脱可能に接続される第２の袋体と、を備えることを特徴とする保冷剤収容具である。
＜２＞  第１の袋体及び第２の袋体が扁平形状であり、該扁平形状の前記第１の袋体及び前記第２の袋体における扁平開口部の一端側近傍が前記ベルトに着脱可能に接続され、前記ベルトの長さ方向における中央部で前記ベルトを折り曲げた時、前記第１の袋体と前記第２の袋体とが対称形状である、前記＜１＞に記載の保冷剤収容具である。
＜３＞  第１の袋体及び第２の袋体が、基材と、前記基材上に固定され、一端開口の収容部を形成するポケットと、を備える、前記＜１＞から＜２＞のいずれかに記載の保冷剤収容具である。
＜４＞  前記ベルトに着脱可能な前記第１の袋体の部位が面ファスナ構造を有し、前記ベルトに着脱可能な前記第２の袋体の部位が面ファスナ構造を有し、前記第１の袋体及び前記第２の袋体に着脱可能な前記ベルトの両端の部位が面ファスナ構造を有する、前記＜１＞から＜３＞のいずれかに記載の保冷剤収容具である。
＜５＞  開口部を有し、保冷剤を収容可能であり、前記開口部の近傍が前記ベルトの予め定められた範囲に着脱可能に接続される第３の袋体をさらに備える、前記＜１＞から＜４＞のいずれかに記載の保冷剤収容具である。
【考案の効果】
【０００７】
本考案によれば、従来における諸問題を解決でき、衣服を着用した状態のままで衣服の内側に装着でき、装着に時間と手間がかからない、冷却効果の高い保冷剤収容具を提供することができる。
【図面の簡単な説明】
【０００８】
【図１】図１は、本考案の第１の実施例の保冷剤収容具の一例を示す概略図である。
【図２】図２は、本考案の第１の実施例の保冷剤収容具の袋体の一例を示す概略図である。
【図３】図３は、本考案の第１の実施例の保冷剤収容具のベルトの一例を示す概略図である。
【図４】図４は、本考案の第１の実施例の保冷剤収容具の装着状態の一例を示す概略図である。
【図５】図５は、本考案の第２の実施例の保冷剤収容具のベルトの一例を示す概略図である。
【図６】図６は、本考案の第２の実施例の保冷剤収容具の袋体の一例を示す概略図である。
【図７】図７は、本考案の第２の実施例の保冷剤収容具の装着状態の一例を示す概略図である。
【考案を実施するための形態】
【０００９】
本考案の保冷剤収容具は、人が装着して両腋の下を冷却するための保冷剤収容具であって、装着時に前記人の首の後部から前に吊り下げられるベルトと、開口部を有し、保冷剤を収容可能であり、前記開口部の近傍が前記ベルトの一端に着脱可能に接続される第１の袋体と、開口部を有し、保冷剤を収容可能であり、前記開口部の近傍が前記ベルトの他端に着脱可能に接続される第２の袋体と、を備えることを特徴とする。
【００１０】
本考案の保冷剤収容具の装着時には、ベルトを首の後部から前に吊り下げ、袋体及びベルトを接続し、袋体を腋の下に挟むように装着し、袋体に保冷剤を収納する。ベルトが首の後部から前に掛かっているので、装着者が多少動いたとしても、袋体が腋の下から落ちることがない。さらに、本考案の保冷剤収容具の装着時には、ベルトを首の後部から前に吊り下げてから袋体を腋の下に挟むので、装着者が衣服を着用している場合であっても、本考案の保冷剤収容具を、衣服を着用した状態のままで衣服の内側に装着可能である。このように、本考案の保冷剤収容具は、衣服を着用した状態のままで衣服の内側に装着可能であるので、準備や装着に手間や時間がかからない。また、袋体及びベルトが着脱可能な構造を有しているので、別々に洗濯することも可能である。
【００１１】
本考案の保冷剤収容具の第１の袋体及び第２の袋体が扁平形状であるのが好ましい。こうすると、袋体の他の形状を有する場合と比較して、装着がより容易になり、装着時の袋体がより安定する。また、該扁平形状の前記第１の袋体及び前記第２の袋体における扁平開口部の一端側近傍が前記ベルトに着脱可能に接続されるのが好ましい。こうすると、ベルトが袋体の他の部分に接続されている場合と比較して、装着時の袋体がより安定する。さらに、前記ベルトの長さ方向における中央部で前記ベルトを折り曲げた時、前記第１の袋体と前記第２の袋体とが対称形状であるのが好ましい。こうすると、対称形状でない場合と比較して、左右のバランスが良くなり、装着時の袋体がより安定する。
【００１２】
本考案の保冷剤収容具の第１の袋体及び第２の袋体が、基材と、前記基材上に固定され、一端開口の収容部を形成するポケットと、を備えるのが好ましい。こうすると、本考案の保冷剤収容具を装着した状態のままで保冷剤を容易に交換することができるので、本考案の保冷剤収容具を長時間使用することができる。
【００１３】
本考案の保冷剤収容具のベルトに着脱可能な前記第１の袋体の部位が面ファスナ構造を有し、前記ベルトに着脱可能な前記第２の袋体の部位が面ファスナ構造を有し、前記第１の袋体及び前記第２の袋体に着脱可能な前記ベルトの両端の部位が面ファスナ構造を有するのが好ましい。こうすると、本考案の保冷剤収容具が軽量化され、より快適に装着でき、洗濯もより容易になる。
【００１４】
本考案の保冷剤収容具は、開口部を有し、保冷剤を収容可能であり、前記開口部の近傍がベルトの予め定められた範囲に着脱可能に接続される第３の袋体をさらに備えるのが好ましい。こうすると、腋の下の部分に加えて、首の後部や首筋部分も冷却できる。
【００１５】
（第１の実施例）
ここで、図面を用いて、本考案の第１の実施例の保冷剤収容具について詳細に説明する。
図１は、本考案の第１の実施例の保冷剤収容具の一例である保冷剤収容具１００を示す概略図である。保冷剤収容具１００は、第１の袋体２００、第２の袋体２００、及びベルト３００を備える。保冷剤収容具１００の装着時には、袋体２００に保冷剤を収納し、袋体２００及びベルト３００を接続し、ベルト３００を首から吊り下げ、次いで袋体２００を腋の下に挟むように装着するのが好ましいが、これらの順序は、任意に入れ替えても問題ない。
ベルト３００の長さ方向における中央部で前記ベルトを折り曲げた時、第１の袋体２００と第２の袋体２００とが対称形状であるのが好ましい。こうすると、対称形状でない場合と比較して、左右のバランスが良くなり、装着時の袋体がより安定する。
【００１６】
図２は、本考案の第１の実施例の保冷剤収容具１００の袋体の一例である袋体２００を示す概略図である。袋体２００の基材の形状は、扁平形状であるとともに、面取りされた略四角形であってもよい。Ａは袋体２００の表側を示し、Ｂは袋体２００の裏側を示す。
袋体２００の基材の表面２１２には、一端開口の収容部を形成するポケット２１４が設けられてもよい。こうすると、本考案の保冷剤収容具１００を装着した状態のままで保冷剤を容易に交換することができるので、本考案の保冷剤収容具１００を長時間使用することができる。
袋体２００の基材の裏面２２２には、ポケット２１４における扁平開口部の一端側近傍にベルト３００を着脱可能なベルト着脱部２２４が設けられる。ポケット２１４における扁平開口部が上側に向くように袋体２００を配置したときに、前記扁平開口部の一端側近傍として、前記略四角形の右上隅部及び左上隅部のいずれかを選択してもよい。こうすると、本考案の保冷剤収容具１００の装着時に、袋体２００が収納する保冷剤が丁度腋の下の部分に位置するようになる。前記扁平開口部には、例えば線ファスナ等の開閉可能な留め具を設けてもよい。こうすると、保冷剤が袋体２００内により安定に収納される。
ベルト着脱部２２４は、オス側面ファスナ構造を有してもよい。こうすると、本考案の保冷剤収容具１００が軽量化され、より快適に装着でき、洗濯もより容易になる。
【００１７】
袋体２００の材質は、不織布であってもよい。不織布を用いることにより、本考案の保冷剤収容具１００の冷却効率を向上することができる。また、不織布を用いることにより、本考案の保冷剤収容具１００を水濡れに強くすることができ、本考案の保冷剤収容具１００を装着したまま保冷剤のみを交換することにより、本考案の保冷剤収容具１００を長時間使用することができる。
【００１８】
一般的には、概ね５〜１０分位である保冷剤の溶解時間（有効時間）が経過するまでは、本考案の保冷剤収容具１００は、冷却能力を維持する。保冷剤の溶解時間の経過に伴い本考案の保冷剤収容具１００も冷却能力を失うが、ポケット２１４に収納された保冷剤を冷却された保冷剤と交換することにより、本考案の保冷剤収容具１００を引き続き使用することができる。冷却された保冷剤を数多く準備しておけば、本考案の保冷剤収容具１００を長時間使用することができる。収納する保冷剤は、市販の安価で小型のものを使用してもよい。安価で小型のものを使用することにより、家庭用冷凍庫等において冷却した数多くの保冷剤を、クーラーボックス等に入れて保管及び運搬することができる。
【００１９】
図３は、本考案の第１の実施例の保冷剤収容具１００のベルトの一例であるベルト３００を示す概略図である。ベルト３００は、一端に第１の袋体着脱部３１０を備え、他端に第１の袋体着脱部３１２を備える。第１の袋体着脱部３１０及び３１２は、それぞれが袋体２００を着脱可能である構造を有する。
袋体２００及びベルト３００は、ベルト着脱部２２４並びに第１の袋体着脱部３１０及び３１２において着脱可能な構造を有しているので、別々に洗濯することも可能である。
第１の袋体着脱部３１０及び３１２は、メス側面ファスナ構造を有してもよい。こうすると、本考案の保冷剤収容具１００が軽量化され、より快適に装着でき、洗濯もより容易になる。また、第１の袋体着脱部３１０及び３１２は、扁平形状をしたクリップ構造を有してもよい。こうすると、第１の袋体着脱部３１０及び３１２は、袋体２００をその任意の部位で着脱することができ、さらに保冷剤を直接に着脱することもできる。
ベルト３００は、さらに伸縮部３２０を備えてもよい。伸縮部３２０は、保冷剤収容具１００を装着した場合に、袋体２００が収納する保冷剤が装着者の腋の下の部分に位置するように、伸縮可能である構造を有してもよい。例えば、伸縮部３２０の材質は、ゴムであってもよい。１０ｃｍ程度の範囲でベルトの長さを調節可能にすれば、装着者の体の大小にも対応することができる。
【００２０】
図４は、本考案の第１の実施例の保冷剤収容具の装着状態の一例を示す概略図である。本考案の保冷剤収容具を装着する場合には、まず、袋体２００に保冷剤を入れ、袋体をベルト３００に装着し、ベルト３００を首の後部から前に吊り下げ、次いで袋体２００を腋の下に挟むのが好ましい。ベルト３００が首の後部から掛かっているので、本考案の保冷剤収容具の装着者が多少動いたとしても、袋体２００が腋の下から落ちることがない。また、ベルト３００が袋体２００の上隅部に接続されているので、ベルト３００が袋体２００の他の部分に接続されている場合と比較して、袋体２００がより安定する。さらに、本考案の保冷剤収容具の装着時には、ベルト３００を首の後部から前に吊り下げてから袋体２００を腋の下に挟むので、装着者が衣服を着用している場合であっても、衣服を着用した状態のままで本考案の保冷剤収容具を着用することが可能である。このように、本考案の保冷剤収容具は、衣服を着用した状態のままで衣服の内側に装着できるので、準備や装着に手間や時間がかからない。
【００２１】
（第２の実施例）
図５は、本考案の第２の実施例の保冷剤収容具のベルトの一例であるベルト５００を示す概略図である。ベルト５００は、第１の袋体着脱部５１０及び５１２、伸縮部５２０及び５２２、第２の袋体着脱部５３０、及び第３の袋体着脱部５４０及び５４２を備える。第１の袋体着脱部５１０及び５１２は、それぞれ図３の第１の袋体着脱部３１０及び３１２に対応し、伸縮部５２０及び５２２は、それぞれ図３の伸縮部３２０に対応する。
【００２２】
第２の袋体着脱部５３０はベルト５００の略中央部に設けられ、第３の袋体着脱部５４０及び５４２は、ベルト５００に摺動可能に取り付けられる。第３の袋体着脱部５４０及び５４２は、柔軟な素材から作られるのが好ましい。第２の袋体着脱部５３０並びに第３の袋体着脱部５４０及び５４２は、それぞれメス側面ファスナ構造を有してもよい。第２の袋体着脱部５３０並びに第３の袋体着脱部５４０及び５４２には、それぞれ保冷剤を収納した袋体を着脱できる。第３の袋体着脱部５４０及び５４２が略８の字型の形状を有すると、袋体が取り付けられていない場合は摺動可能であり、袋体が取り付けられている場合はその位置が固定されるので、好適であるが、第３の袋体着脱部５４０及び５４２は、ベルト５００に摺動可能に取り付けられる任意の形状を有してもよい。図５に示されたベルト５００は、１つの第２の袋体着脱部５３０並びに２つの第３の袋体着脱部５４０及び５４２を備えているが、ベルト５００は、少なくとも１つの第２の袋体着脱部５３０並びに少なくとも１つの第３の袋体着脱部５４０及び５４２のいずれか又は両方を備えてもよい。このように、第２の袋体着脱部５３０並びに第３の袋体着脱部５４０及び５４２を備えることによって、腋の下の部分に加えて、首の後部及び首筋部分も冷却できる。
【００２３】
図６は、本考案の第２の実施例の保冷剤収容具の袋体の一例である袋体６００を示す概略図である。袋体６００、袋体６００の基材の表面６１２、ポケット６１４、袋体６００の基材の裏面６２２、ベルト着脱部６２４は、図２の袋体２００、袋体２００の基材の表面２１２、ポケット２１４、袋体２００の基材の裏面２２２、ベルト着脱部２２４にそれぞれ対応する。袋体６００は、ベルト着脱部６２４がポケット６１４の扁平開口部の一端側近傍に代えて基材の裏面６２２の略中央部に設けられていることを除いて、袋体２００と同様の構造を有する。袋体６００は、第２の袋体着脱部５３０並びに第３の袋体着脱部５４０及び５４２に着脱するのに好適である。
【００２４】
図７は、本考案の第２の実施例の保冷剤収容具の装着状態の一例を示す概略図である。図７に示された本考案の第２の実施例の保冷剤収容具の装着の仕方は、図４に示された本考案の保冷剤収容具の装着の仕方と同様である。袋体６００に保冷剤を収納し、第２の袋体着脱部及び第３の袋体着脱部の少なくとも１つに袋体６００を装着し、それから人がベルト５００を装着してもよいが、これらの順序は、任意である。ベルト５００の装着時に、第２の袋体着脱部及び第３の袋体着脱部には、保冷剤を収納した袋体が装着されていても装着されていなくてもよい。第２の袋体着脱部及び第３の袋体着脱部がメス側面ファスナ構造を有する場合、保冷剤を収納した袋体２００及び袋体６００がベルト５００に装着されていなくても、ベルト５００の装着者が首の後ろや首筋部分に違和感を覚えることはない。
【００２５】
例えば、子供のサッカーやバスケットボールの試合中のハーフタイムの時間や、野球の試合中の攻撃側の時間に、本考案の保冷剤収容具を使用することによって、体温を下げコンディションを通常に近い状態に保つことができる。また、熱中症の初期段階であれば、患者を涼しいところに移動し、本考案の保冷剤収容具を使用して安静にしていれば、患者の早期回復が見込まれる。学校、病院、及びスポーツ施設等に本考案の保冷剤収容具を常備しておけば、熱中症や急な発熱にも早期に対処することができる。
【００２６】
以上、本考案の保冷剤収容具について詳細に説明したが、本考案は、上記実施形態に限定されず、本考案の要旨を逸脱しない範囲で種々変更しても差し支えない。例えば、保冷剤の代わりに氷を用いてもよい。また、本考案の保冷剤収容具の袋体に保冷剤の代わりに使い捨てカイロ等を収納すれば、腋の下の部分を暖めることも可能である。
【符号の説明】
【００２７】
１００  保冷剤収容具
２００  袋体
３００  ベルト
【図１】
0003195107.tif 000003
【図２】
0003195107.tif 000004
【図３】
0003195107.tif 000005
【図４】
0003195107.tif 000006
【図５】
0003195107.tif 000007
【図６】
0003195107.tif 000008
【図７】
0003195107.tif 000009